(57)【要約】【課題】部品点数を極力抑えると共に、現場取付けも簡単な構成とし、また簡便であって、更に主要部を着脱自在な構成とし、交換自在、且つメインテナンスも含めてトータルコストを極力抑制し得るロールペーパー供給装置の提供。【解決手段】前面パネル１の裏側に少なくとも１乃至２以上の予備ロールペーパー収容筒体３を起立して添設し、前方に向って下り傾斜させた予備ロールペーパー収容筒体３の底面３ａを前面パネル１の最下部に臨ませ、積み重ねたロールペーパーＰが順次導下され、ロールペーパーＰの有無を視認できる窓孔４、５を設け、且つロールペーパーＰの端を持って引出せる程度に下方に切欠き穴部９を設けた円弧状突設部を形成するカッター蓋７を前面パネル１の予備ロールペーパー収容筒体３に隣接した最下位所定部位に連設し、ロールペーパーＰの芯支持棒６を設け、前面パネル１を前傾して頭部が開口可能な可傾開閉機構Ｋを備える。【選択図】        図１
2004209073.tif 000002
【特許請求の範囲】
【請求項１】
洗浄水供給手段のバルブ開閉部を連動して開閉動作させるための押圧部を有し、前記洗浄水供給手段の所定部位に固設したベースプレート及び設置箇所の壁面開口部に取付けた額縁フレームを介して設置可能な前面パネルを基盤とするロールペーパー供給装置であって、前記前面パネルの裏側に少なくとも１乃至２以上の予備ロールペーパー収容筒体を起立して添設し、前方に向って下り傾斜させた前記予備ロールペーパー収容筒体の底面を前面パネルの最下部に臨ませ、積み重ねたロールペーパーが順次導下され、利用者がロールペーパーの有無を視認できる窓孔を設け、且つ前記ロールペーパーの端を持って引出せる程度に下方に切欠き穴部を設けた円弧状突設部を形成するカッター蓋を前面パネルの前記予備ロールペーパー収容筒体に隣接した最下位所定部位に連設し、前記ロールペーパーの中心穴に挿通して支持可能にロールペーパー芯支持棒を設け、ロールペーパー補給時には、前面パネルを前傾して頭部が開口可能な可傾開閉機構を備えて成ることを特徴とするロールペーパー供給装置。
【請求項２】
請求項１記載のロールペーパー供給装置において、前記可傾開閉機構は、前面パネルの下縁部に沿って平行に断面コの字状部材を開口側を前面にして固設し、該断面コの字状部材の前面下縁部に蝶番部を設けて前傾開閉自在とすると共に、前面パネルは前記蝶番部を介して前記ベースプレートに接続される位置決め用補助プレートの所定位置に配設された受け部材に着脱自在に嵌合して成ることを特徴とするロールペーパー供給装置。
【請求項３】
請求項１または２記載のロールペーパー供給装置において、前面パネルの下方両サイドに前面パネルを前傾して頭部が開口可能な状態において所定角度以上に前傾しないように掛止する為の先端部が鉤状の掛止部を有する掛止腕部を対向し、且つ可傾方向に平行して設け、該対向する掛止腕部は互いに内側に所定量撓ませることで、先端鉤状掛止部が掛止状態から解放され、前面パネルを取り外し可能とする構成としたことを特徴とするロールペーパー供給装置。
【請求項４】
請求項１乃至３いずれか記載のロールペーパー供給装置において、前記カッター蓋は、先のロールペーパーが使い切った際に、隣接する予備ロールペーパー収容筒体より横滑りして新しいロールペーパーを容易に供給可能とする為に、前記ロールペーパーに供給方向から見て前記カッター蓋の前端より所定寸法離間して手前に支軸を頂点とする変形くの字形部材を揺動自在に設けてカッター蓋自動持ち上げ機構を形成して成ることを特徴とするロールペーパー供給装置。
【発明の詳細な説明】
【０００１】
【発明の属する技術分野】
本発明は、自動車専用道路や高速道路沿いに設けられたサービスエリア、パーキングエリア、または駅や公園、学校等に設置されたトイレなどの所定位置に設けられて広く利用されるトイレットペーパー等のロールペーパー供給装置に関する。
【０００２】
【従来の技術】
従来装置は、ロールペーパーの格納容量、供給方法等により全体の形態が大きくなり易く、また丈の高い装置が多く、更に基盤となる骨材枠に筐体を取り付ける構造が基本である（既存の装置を改良した発明。）。
【０００３】
【発明が解決しようとする課題】
然しながら上述の従来品は、装置の形態等に由来する構成部品点数や、製作費、更には現場取付け費用等の面でコスト高となる経済的な問題がある。
【０００４】
本発明は、叙上の点に着目して成されたもので、前面パネルを基盤とする構成とし、部品点数を極力抑えると共に、現場取付けも簡単な構成とし、更に主要部を着脱自在な構成としたことで、交換自在、且つメインテナンスも含めてトータルコストを極力抑制し得るロールペーパー供給装置を提供することを目的とする。
【０００５】
【課題を解決するための手段】
本発明は、下記構成を備えることにより上記課題を解決できるものである。
【０００６】
（１）洗浄水供給手段のバルブ開閉部を連動して開閉動作させるための押圧部を有し、前記洗浄水供給手段の所定部位に固設したベースプレート及び設置箇所の壁面開口部に取付けた額縁フレームを介して設置可能な前面パネルを基盤とするロールペーパー供給装置であって、前記前面パネルの裏側に少なくとも１乃至２以上の予備ロールペーパー収容筒体を起立して添設し、前方に向って下り傾斜させた前記予備ロールペーパー収容筒体の底面を前面パネルの最下部に臨ませ、積み重ねたロールペーパーが順次導下され、利用者がロールペーパーの有無を視認できる窓孔を設け、且つ前記ロールペーパーの端を持って引出せる程度に下方に切欠き穴部を設けた円弧状突設部を形成するカッター蓋を前面パネルの前記予備ロールペーパー収容筒体に隣接した最下位所定部位に連設し、前記ロールペーパーの中心穴に挿通して支持可能にロールペーパー芯支持棒を設け、ロールペーパー補給時には、前面パネルを前傾して頭部が開口可能な可傾開閉機構を備えて成るロールペーパー供給装置。
【０００７】
（２）前項（１）記載のロールペーパー供給装置において、前記可傾開閉機構は、前面パネルの下縁部に沿って平行に断面コの字状部材を開口側を前面にして固設し、該断面コの字状部材の前面下縁部に蝶番部を設けて前傾開閉自在とし、前面パネルは前記蝶番部を介して前記ベースプレートに接続される位置決め用補助プレートの所定位置に配設された受け部材に着脱自在に嵌合して成るロールペーパー供給装置。
【０００８】
（３）前項（１）または（２）記載のロールペーパー供給装置において、前面パネルの下方両サイドに前面パネルを前傾して頭部が開口可能な状態において所定角度以上に前傾しないように掛止する為の先端部が鉤状の掛止部を有する掛止腕部を対向し、且つ可傾方向に平行して設け、該対向する掛止腕部は互いに内側に所定量撓ませることで、先端鉤状掛止部が掛止状態から解放され、前面パネルを取り外し可能とする構成としたロールペーパー供給装置。
【０００９】
（４）前項（１）乃至（３）いずれか記載のロールペーパー供給装置において、前記カッター蓋は、先のロールペーパーが使い切った際に、隣接する予備ロールペーパー収容筒体より横滑りして新しいロールペーパーを容易に供給可能とする為に、前記ロールペーパーの供給方向から見て前記カッター蓋の前端より所定寸法離間して手前に支軸を頂点とする変形くの字形部材を揺動自在に設けてカッター蓋自動持ち上げ機構を形成して成るロールペーパー供給装置。
【００１０】
【発明の実施の形態】
以下、本発明に係るロールペーパー供給装置の実施の形態を説明する。
【００１１】
図１は、本発明に係るロールペーパー供給装置の要部構成を示す説明図、（ａ）は正面図、（ｂ）はＡ−Ａ矢視図、（ｃ）はＢ−Ｂ矢視図、（ｄ）はロールペーパー補給可能な前面パネル前傾姿勢の状態を示す側面図、図２（ａ）は、全体構成を示す斜視図、（ｂ）は、蝶番部の着脱状況を示す斜視説明図、（ｃ）は、前傾時の作用状況を示す側面説明図、図３は、左側から眺めた側面図（Ｃ−Ｃ矢視）、図４は、カッター蓋自動持ち上げ機構の一例を示す説明図、（ａ）は、側面図、（ｂ）は、正面図、図５は、カッター蓋自動持ち上げ機構の一例を示す斜視説明図、図６（ａ）、（ｂ）、（ｃ）は、ロールペーパー供給時のカッター蓋自動持ち上げ機構の作用状況を示す説明図である。
【００１２】
以下、図面を参照して本発明に係るロールペーパー供給装置の実施の形態について説明する。
【００１３】
例えば、フラッシュバルブ型の洗浄水供給手段Ｗｓのバルブ開閉部Ｖを連動して開閉動作させるための押圧部２を有し、前記洗浄水供給手段Ｗｓの所定部位に固設したベースプレートＢｓ及び額縁フレームＦを介して設置可能なロールペーパー供給装置であって、前面パネル１を基盤として、これに少なくとも１乃至２以上の予備ロールペーパー収容筒体３を起立して添設し、前方に向って下り傾斜させた前記予備ロールペーパー収容筒体３の底面３ａを前面パネル１の最下部に臨ませ、積み重ねたロールペーパーＰが順次導下され、利用者がロールペーパーＰの有無を視認できる窓孔４，５を設け、且つ前記ロールペーパーＰの端を持って引出せる程度に下方に切欠き穴部９を設けた円弧状突設部を形成するカッター蓋７を前面パネル１の前記ロールペーパー収容筒体３に隣接した最下位所定部位に連設し、前記ロールペーパーＰの中心孔に挿通して支持可能にロールペーパー芯支持棒６を設け、ロールペーパーＰ補給時には、前面パネル１を前傾して頭部が開口可能な可傾開閉機構Ｋを備え、該可傾開閉機構Ｋは、前面パネル１の下縁部に沿って平行に断面コの字状部材１０を開口側１０ａを前面にして固設し、該断面コの字状部材１０の前面下縁部１０ａに蝶番部１１を設けて前傾開閉自在とし、前面パネル１は前記蝶番部１１を介して着脱自在に前記ベースプレートＢｓに接続される位置決め用補助プレート１３の所定位置に配設された受け部材１２に嵌合して成り、そして、前面パネル１の下方両サイドに前面パネル１を前傾して頭部が開口可能な状態において所定角度α以上、不必要に前傾し過ぎないように掛止する為の先端部が鉤状の掛止部１５ａを有する掛止腕部１５、１５を対向し、且つ可傾方向に平行して設け、該対向する掛止腕部１５、１５は互いに内側に所定量撓ませることで、先端鉤状掛止部１５ａが掛止状態から解放され、前面パネル１を取り外し可能とする構成としてある。
【００１４】
また、ベースプレートＢｓは、洗浄水供給手段Ｗｓのパイプに切り欠き部１４，１４を係合して当てがい、補助プレート１３と対を成して接続・固設し高さ位置決め可能に構成してある。尚、図１（ｂ）に示すように、不図示の壁面奥に支持部を有するステー１８を設け、ベースプレートＢｓと共に、洗浄水供給手段Ｗｓのガタや揺れを防止する構成としてある。
【００１５】
補助プレート１３の所定位置に、断面コの字状部材１０の前面下縁部１０ａに設けられた蝶番部１１を構成する可動部１１ａ、固定部１１ｂにおいて、固定部１１ｂに固着された延長軸部１１ｃ、１１ｃに係合して受け部材１２，１２を設け、図２（ａ）、（ｂ）に示すように、蝶番部１１の延長軸部１１ｃ、１１ｃは補助プレート１３に設けられた前記受け部材１２，１２と互いに着脱自在であり、且つ図２（ｃ）に示すように、所定角度αの範囲内において、可傾開閉機構Ｋ及び不必要に前傾し過ぎないように掛止する為の先端部が鉤状の掛止部１５ａを有する掛止腕部１５、１５を対向して設けてあるので、ロールペーパーＰ補給時に適宜開口した頭部から所望のロールペーパーＰを補給することが出来る。
【００１６】
なお、掛止腕部１５、１５の先端部の鉤状掛止部１５ａ、１５ａは、前面パネル１の前傾停止位置が所定の角度αになるように、形成され壁面の裏側に設けられた額縁フレームＦに当接して停止すようになっている。
【００１７】
因みに、実施例では角度αは約１５°（開口奥行き寸法は１５０ｍｍ）であった。
【００１８】
また、対向して配置された掛止腕部１５，１５は互いに内側に所定量撓ませることで、先端の鉤状掛止部１５ａ、１５ａが掛止状態から解放され、前面パネル１を所定前傾角度αを超えて、更に前傾させて蝶番部１１の延長軸部１１ｃ、１１ｃを受け部材１２、１２から外して前面パネル１全体を壁面位置から取り外すことが出来る。こうすることで、前面パネルを、例えば、ステンレスから積層樹脂プレート、或は色柄模様の化粧パネル等へ自由に交換でき、またメインテナンスも容易に行うことが出来る。
【００１９】
また、押圧部２は、洗浄水供給手段Ｗｓのバルブ開閉部Ｖに係合する前面パネル１の所定部位にゴム等の弾性体で形成し、図１（ｂ）に示すように、前記押圧部２の内側には、バネ部材２ｂで元に復帰するように付勢した中子２ａとこれに連結するアーム２ｃを備え、アーム２ｃの先端は、このアーム２ｃが回動可能に軸支（２ｄ）され、洗浄水供給手段Ｗｓのバルブ開閉部Ｖに係合する前記アーム２ｃの所定部位に、前記バルブ開閉部Ｖに当接・押圧するための突起部２ｅを設けてある。
【００２０】
尚、押圧部２と洗浄水供給手段Ｗｓのバルブ開閉部Ｖが接近した位置関係にある時は、押圧部２の内側にバネ部材２ｂで元に復帰するように付勢した中子２ａと当接部材（図示略）を用いた簡単な構成としても良い。
【００２１】
更に、押圧部２には、例えば、赤外線センサ等の非接触式のセンサを用いても良く、用途、環境条件に応じて、手動式・非接触式の何れかを自由に選択出来る。
【００２２】
また、前記カッター蓋７は、先のロールペーパーＰが使い切った際に、隣接する予備ロールペーパー収容筒体３より横滑りして新しいロールペーパーＰを容易に供給可能とする為に、前記ロールペーパーＰの供給方向から見て前記カッター蓋７の前端より所定寸法離間（図４（ｂ）：Ｌ１）して手前に支軸１６ｃを頂点とする変形くの字形部材１６を揺動自在に設けてカッター蓋自動持ち上げ機構Ｊを形成して成ることを特徴とする。
【００２３】
この変形くの字形部材１６の支軸１６ｃより下部の当接部１６ａにロールペーパーＰの先端が当接すると前記支軸１６ｃを中心に反対側の押し上げ部１６ｂが前記カッター蓋７を内側から押し上げ、ロールペーパーＰは前記カッター蓋７の下方空間に滑り込んでロールペーパー芯支持棒６に支持され、この時ロールペーパーＰの後方端部は前記変形くの字形部材１６の支軸１６ｃの位置を通過し、前記変形くの字形部材１６は支軸１６ｃを頂点として宙ぶらりんの状態となるように構成してある。
【００２４】
この変形くの字形部材１６から構成されるカッター蓋自動持ち上げ機構Ｊは、図４（ａ）、（ｂ）及び図５に示すように、ロールペーパーＰの供給方向から見て手前側に適宜離間してＬ１寸法と、変形くの字形部材１６の壁面からの距離Ｌ２を適宜選ぶことによって、カッター蓋７の内側、且つロールペーパーＰをセットした時のロールペーパーＰ背面上部の空間Ｘ（図４（ａ）参照）の範囲を上手に利用することで、変形くの字形部材１６がロールペーパーＰを使用できるようにセットした状態でも邪魔にならず、カッター蓋自動持ち上げ機構Ｊとしての機能を果すことが出来る。
【００２５】
図４，５，６にて、７″は、ロールペーパーＰが供給されてないときのカッター蓋の位置（状態）を示し（図６（ａ）参照）、７′は、次のロールペーパーＰが供給され始め、変形くの字形部材１６の当接部１６ａにロールペーパーＰの端が当接して支軸１６ｃを支点にして押し上げ部１６ｂがカッター蓋を押し上げて（図６（ｂ）参照）、ロールペーパーＰの後端が変形くの字形部材１６の支軸１６ｃの位置を通過して後、カッター蓋は７′から７の位置に変わりロールペーパーＰが使用状態にセットされたことになる（図６（ｃ）参照）。
【００２６】
他の符号について、１７は、キー（鍵）を示し、関係者以外開けられないように構成してある。
【００２７】
また、用途、環境条件等に応じて、予備ロールペーパー収容筒体には蓋やカバーを設けることもでき、更には前面パネルの裏側全体を覆うように箱体を取付けることも出来る。
【００２８】
更に尚、前面パネルを不錆性のステンレス鋼または積層樹脂パネルもしくは色柄模様を施した化粧パネルとし、何れを選択するかは、用途、環境条件等、その他の条件に応じて決めることが出来る。
【００２９】
【発明の効果】
以上説明したように、本発明によれば、部品点数を極力抑えると共に、現場取付けも簡単な構成とし、また、カッター蓋自動持ち上げ機構を備えて簡便さを付加し、更に主要部を着脱自在な構成とし、交換自在、且つメインテナンスも含めてトータルコストを極力抑制し得るロールペーパー供給装置を提供することが出来る。
【図面の簡単な説明】
【図１】本発明に係るロールペーパー供給装置の要部構成を示す説明図、（ａ）は正面図、（ｂ）はＡ−Ａ矢視図、（ｃ）はＢ−Ｂ矢視図、（ｄ）はロールペーパー補給可能な前面パネル前傾姿勢の状態を示す側面図
【図２】（ａ）は、全体構成を示す斜視図、（ｂ）は、蝶番部の着脱状況を示す斜視説明図、（ｃ）は、前傾時の作用状況を示す側面説明図
【図３】左側から眺めた側面図（Ｃ−Ｃ矢視）
【図４】カッター蓋自動持ち上げ機構の一例を示す説明図、（ａ）は、側面図、（ｂ）は、正面図
【図５】カッター蓋自動持ち上げ機構の一例を示す斜視説明図
【図６】（ａ）、（ｂ）、（ｃ）  ロールペーパー供給時のカッター蓋自動持ち上げ機構の作用状況を示す説明図
【符号の説明】
１  前面パネル
２  押圧部
３  予備ロールペーパー収容筒体
４、５  窓孔
６  ロールペーパー芯支持棒
７  カッター蓋
９  切欠き穴部
１０  断面コの字状部材
１１  蝶番部
１２  受け部材
１５  掛止腕部
１６  変形くの字形部材
１７  キー（鍵）
１８  ステー
Ｊ  カッター蓋自動持ち上げ機構
Ｂｓ  ベースプレート
Ｆ  額縁フレーム
Ｋ  可傾開閉機構
Ｐ  ロールペーパー
Ｗｓ  洗浄水供給手段
Ｖ  バルブ開閉部
【図１】
2004209073.tif 000003
【図２】
2004209073.tif 000004
【図３】
2004209073.tif 000005
【図４】
2004209073.tif 000006
【図５】
2004209073.tif 000007
【図６】
2004209073.tif 000008